(57)【要約】      （修正有）【課題】フロントパネルに設けられた複数の押しボタンの連動を防止することができる押しボタンの連動防止構造を提供する。【解決手段】フロントパネル２に設けられ、後側に筐体１０内のスイッチ１１をＯＮ・ＯＦＦするための当り片１２、１３が延設された複数の押しボタン３、４が並設された押しボタン構造において、各押しボタン３、４が設けられた板状部６、７とフロントパネル２の本体部２ａとの間に、押しボタン３、４を内部に向けて押すための開口溝２ｂ、２ｃが形成されていて、これらの開口溝２ｂ、２ｃの下側位置の間に押しボタン３、４を押すためのヒンジ部２ｄが設けられ、板状体６、７の上辺部と開口溝２ｂ、２ｃを介するフロントパネル２の本体部２ａとの間に略Ｚ字形の薄肉で細い繋ぎ片９が形成されているものである。【選択図】図２
2005108480.tif 000002
【特許請求の範囲】
【請求項１】
フロントパネルに設けられ、後側に筐体内のスイッチをＯＮ・ＯＦＦするための当り片が延設された複数の押しボタンが並設された押しボタン構造において、前記各押しボタンが設けられた板状部と前記フロントパネルの本体部との間に、押しボタンを内部に向けて押すための開口溝が形成されていて、これらの開口溝の下側位置の間に押しボタンを押すためのヒンジ部が設けられ、前記板状体の上辺部と前記開口溝を介する前記フロントパネルの本体部との間に略Ｚ字形の薄肉で細い繋ぎ片が形成されていることを特徴とする押しボタンの連動防止構造。
【請求項２】
フロントパネルに設けられ、後側に筐体内のスイッチをＯＮ・ＯＦＦするための当り片が延設された複数の押しボタンが並設された押しボタン構造において、前記各押しボタンが設けられた板状部と前記フロントパネルの本体部との間に、押しボタンを内部に向けて押すための開口溝が形成されていて、これらの開口溝の下側位置の間に押しボタンを押すためのヒンジ部が設けられ、更に、これらの開口溝の下側近傍箇所に前記フロントパネルの前面に取り付けられるボタン用カバーから延設された溶着用ボスが前記フロントパネルを貫通して突設され、この溶着用ボスの後端部の溶着によって前記ボタン用カバーが前記フロントパネルに取り付けられるようにしたことを特徴とする押しボタンの連動防止構造。
【請求項３】
フロントパネルに設けられ、後側に筐体内のスイッチをＯＮ・ＯＦＦするための当り片が延設された複数の押しボタンが並設された押しボタン構造において、前記各押しボタンが設けられた板状部と前記フロントパネルの本体部との間に、押しボタンを内部に向けて押すための開口溝が形成されていて、これらの開口溝の下側位置の間に押しボタンを押すためのヒンジ部が設けられ、前記板状体の上辺部と前記開口溝を介する前記フロントパネルの本体部との間に略Ｚ字形の薄肉で細い繋ぎ片が形成され、更に、前記開口溝の下側近傍箇所に前記フロントパネルの前面に取り付けられるボタン用カバーから延設された溶着用ボスが前記フロントパネルを貫通して突設され、この溶着用ボスの後端部の溶着によって前記ボタン用カバーが前記フロントパネルに取り付けられるようにしたことを特徴とする押しボタンの連動防止構造。
【発明の詳細な説明】
【技術分野】
【０００１】
本発明は、フロントパネルに設けられ、後側に筐体内のスイッチをＯＮ・ＯＦＦするための当り片が延設された複数の押しボタンが並設された押しボタンの連動防止構造に関し、特に複数の押しボタンの連動を抑制するようにした押しボタンの連動防止構造に関するものである。
【背景技術】
【０００２】
従来の押しボタン構造は、フロントパネルに設けられた複数の押しボタンのうち一つの押しボタンを押すとこの押しボタンの近傍箇所に有る他の押しボタンが連動してしまうという問題があった。
【０００３】
第１の従来技術を図７（ａ）（ｂ）（ｃ）に示す。取付ベース部１０２と、プッシュノブ部１０３Ａ、１０３Ｂ、１０３Ｃと、このプッシュノブ部１０３Ａ、１０３Ｂ、１０３Ｃを取付ベース部１０２に連結するためにプッシュノブ部１０３Ａ、１０３Ｂ、１０３Ｃの全周に渡って形成された薄肉部１０４とを合成樹脂で一体成型した構成とする。（例えば、特許文献１参照）。
ところが、これは本発明の構造とは全く異なるものであった。
【０００４】
第２の従来技術を図８（ａ）（ｂ）（ｃ）に示す。複数のスイッチ２１９ａ、２１９ｂを有する制御装置２１０を内設した操作板（操作箱）２１１ａに弾性体にて形成された操作ボタン２１４を配設し、操作ボタン２１４は、複数のスイッチ２１９ａ、２１９ｂに対応した複数の押圧点２１６ａ、２１６ｂと、複数の押圧２１６ａ、２１６ｂ点の裏面にそれぞれ設けた複数の押圧リブ２１７ａ、２１７ｂと、各押圧リブ２１７ａ、２１７ｂの周辺に位置する略円筒状の保持リブ２１８ａ、２１８ｂとを一体に形成し、操作ボタン２１４を上方から押し込むと、押圧リブ２１７ａ、２１７ｂがスイッチ２１９ａ、２１９ｂを押す前に保持リブ２１８ａ、２１８ｂが操作板２１１ａに当接するようにした。（例えば、特許文献２参照）。
ところが、これにおいては保持リブ２１８ａ、２１８ｂがあるために、押圧点２１６ａを押して押圧リブ２１７ａをスイッチ２１９ａ側に押し込むときに、強い力を必要とするという問題があった。
【０００５】
第３の従来技術を図９、図１０（ａ）、（ｂ）に示す。操作ボタン３２１をパネル正面側から押し込むと、断面Ｕ字型で正面側に突出形成されたヒンジ片３２２撓み支点３２２ａを軸に同操作ボタン３２１は円弧運動する。すると、同操作ボタン３２１と一体形成された押下片３２４は下方に押し下げられ、同押下片３２４の下面で押下スイッチの押下面を押し下げる。このとき、操作面３２１ａはほぼ水平方向に押し込まれるため、化粧パネル３４０にはほとんどクリアランスを形成する必要はなくなる。（例えば、特許文献３参照）。
ところが、これは操作ボタン３２１の連動を防止するものではなかった。
【０００６】
【特許文献１】実開平５−８７７６５号公報
【特許文献２】特開平７−１２４３８４号公報
【特許文献３】実登第３０４６１４７号公報
【発明の開示】
【発明が解決しようとする課題】
【０００７】
本発明は上記した従来の問題を解消し、フロントパネルに設けられた複数の押しボタンの連動を防止することができる押しボタンの連動防止構造を提供することを目的としている。
【課題を解決するための手段】
【０００８】
本発明は、上記課題を解決するために提案されたものであって、請求項１に記載の発明は、フロントパネルに設けられ、後側に筐体内のスイッチをＯＮ・ＯＦＦするための当り片が延設された複数の押しボタンが並設された押しボタン構造において、前記各押しボタンが設けられた板状部と前記フロントパネルの本体部との間に、押しボタンを内部に向けて押すための開口溝が形成されていて、これらの開口溝の下側位置の間に押しボタンを押すためのヒンジ部が設けられ、前記板状体の上辺部と前記開口溝を介する前記フロントパネルの本体部との間に略Ｚ字形の薄肉で細い繋ぎ片が形成されていることを特徴としている。
【０００９】
請求項２に記載の発明は、フロントパネルに設けられ、後側に筐体内のスイッチをＯＮ・ＯＦＦするための当り片が延設された複数の押しボタンが並設された押しボタン構造において、前記各押しボタンが設けられた板状部と前記フロントパネルの本体部との間に、押しボタンを内部に向けて押すための開口溝が形成されていて、これらの開口溝の下側位置の間に押しボタンを押すためのヒンジ部が設けられ、更に、これらの開口溝の下側近傍箇所に前記フロントパネルの前面に取り付けられるボタン用カバーから延設された溶着用ボスが前記フロントパネルを貫通して突設され、この溶着用ボスの後端部の溶着によって前記ボタン用カバーが前記フロントパネルに取り付けられるようにしたことを特徴としている。
【００１０】
請求項３に記載の発明は、フロントパネルに設けられ、後側に筐体内のスイッチをＯＮ・ＯＦＦするための当り片が延設された複数の押しボタンが並設された押しボタン構造において、前記各押しボタンが設けられた板状部と前記フロントパネルの本体部との間に、押しボタンを内部に向けて押すための開口溝が形成されていて、これらの開口溝の下側位置の間に押しボタンを押すためのヒンジ部が設けられ、前記板状体の上辺部と前記開口溝を介する前記フロントパネルの本体部との間に略Ｚ字形の薄肉で細い繋ぎ片が形成され、更に、前記開口溝の下側近傍箇所に前記フロントパネルの前面に取り付けられるボタン用カバーから延設された溶着用ボスが前記フロントパネルを貫通して突設され、この溶着用ボスの後端部の溶着によって前記ボタン用カバーが前記フロントパネルに取り付けられるようにしたことを特徴としている。
【発明の効果】
【００１１】
請求項１に記載の発明は、フロントパネルに設けられ、後側に筐体内のスイッチをＯＮ・ＯＦＦするための当り片が延設された複数の押しボタンが並設された押しボタン構造において、各押しボタンが設けられた板状部とフロントパネルの本体部との間に、押しボタンを内部に向けて押すための開口溝が形成されていて、これらの開口溝の下側位置の間に押しボタンを押すためのヒンジ部が設けられ、板状体の上辺部と開口溝を介するフロントパネルの本体部との間に略Ｚ字形の薄肉で細い繋ぎ片が形成されているので、以下に述べる効果を奏する。
即ち、略Ｚ字形の薄肉の細い繋ぎ片が設けられているので近接する押しボタンの連動が抑制されて押しボタンの連動を防止することができる。
【００１２】
請求項２に記載の発明は、フロントパネルに設けられ、後側に筐体内のスイッチをＯＮ・ＯＦＦするための当り片が延設された複数の押しボタンが並設された押しボタン構造において、各押しボタンが設けられた板状部とフロントパネルの本体部との間に、押しボタンを内部に向けて押すための開口溝が形成されていて、これらの開口溝の下側位置の間に押しボタンを押すためのヒンジ部が設けられ、更に、これらの開口溝の下側近傍箇所にフロントパネルの前面に取り付けられるボタン用カバーから延設された溶着用ボスがフロントパネルを貫通して突設され、この溶着用ボスの後端部の溶着によってボタン用カバーがフロントパネルに取り付けられるようにしたので、以下に述べる効果を奏する。
即ち、溶着用ボスの存在で押しボタンと押しボタンの間が補強されることになり、押しボタンを押したときに近傍の他の押しボタンの連動を防止することができる。
【００１３】
請求項３に記載の発明は、フロントパネルに設けられ、後側に筐体内のスイッチをＯＮ・ＯＦＦするための当り片が延設された複数の押しボタンが並設された押しボタン構造において、各押しボタンが設けられた板状部とフロントパネルの本体部との間に、押しボタンを内部に向けて押すための開口溝が形成されていて、これらの開口溝の下側位置の間に押しボタンを押すためのヒンジ部が設けられ、板状体の上辺部と開口溝を介するフロントパネルの本体部との間に略Ｚ字形の薄肉で細い繋ぎ片が形成され、更に、開口溝の下側近傍箇所にフロントパネルの前面に取り付けられるボタン用カバーから延設された溶着用ボスがフロントパネルを貫通して突設され、この溶着用ボスの後端部の溶着によってボタン用カバーがフロントパネルに取り付けられるようにしたので、以下に述べる効果を奏する。
即ち、略Ｚ字形の薄肉の細い繋ぎ片で近接する押しボタンの連動が抑制され、更に溶着用ボスの存在でより一層押しボタンの連動が抑制されて押しボタンの連動を防止することができる。
【発明を実施するための最良の形態】
【００１４】
以下、本発明に係る押しボタンの連動防止構造の実施の形態について、図を参照しつつ説明する。
図１は本発明の押しボタンの連動防止構造を有するビデオデッキの部分斜視図、図２は第１実施形態の押しボタンの連動防止構造を示し、（ａ）はその部分正面図、（ｂ）はその側面断面図である。
【００１５】
この第１実施形態の押しボタンの連動防止機構を有するビデオデッキ１には、そのフロントパネル２に２つの押しボタン３、４が設けられ、この押しボタン３、４を覆うように且つ押しボタン３、４の先端が露出するようにフロントパネル２の前面側にボタン用カバー５が取り付けられている。
そして、図２（ａ）に示すように、押しボタン３、４は板状部６、７の略中央箇所に前側に突出するように設けられ、この板状部６、７とフロントパネル２の本体部２ａとの間にその側方と上方に連なる略逆コ字形の開口溝２ｂ、２ｃが設けられ、更に板状部６、７の下側横方向中央位置に四辺形の空洞部８が設けられている。更に、板状部６、７の上辺部と開口溝２ｂ、２ｃを介するフロントパネル２の本体部２ａとの間の横方向略中央箇所に略Ｚ字形の薄肉の細い繋ぎ片９が形成されている。
【００１６】
また、図２（ｂ）に示すように、フロントパネル１内において、板状部６、７における押しボタン３、４の位置する箇所の後側に筐体１０内のスイッチ１１をＯＮ・ＯＦＦするための水平向きの当り片１２、１３が延設されている。更に、これらの当り片１２、１３の上面側には当り片１２の先端から板状部６、７に至るまで略三角形の補強板部１４、１５が設けられている。更に、フロントパネル２における開口溝２ｂ、２ｃの下側位置の間に薄肉のヒンジ部２ｄが設けられている。
そして、一方側の押しボタン３を押すと、細い繋ぎ片９の存在で他方の押しボタン４が抑制される。
【００１７】
したがって、この第１実施形態によれば、開口溝２ｂ、２ｃの上側部分に薄肉の略Ｚ字形の薄肉の細い繋ぎ片９が設けられているので、一方側の押しボタン３を押しても近接する他方の押しボタン４の連動が抑制されて押しボタン３、４の連動を防止することができる。
【００１８】
図３は第２実施形態の押しボタンの連動防止構造の部分裏面図、図４は同構造の側面断面図である。尚、第１実施形態における同一部材、同一箇所には同一符号を付して、その説明を省略する。
この第２実施形態の押しボタンの連動防止構造は、図３、図４に示すように、フロントパネル２の本体部２ａと板状体６、７の間の開口溝２ｂ、２ｃの間の中央箇所の下側位置に、フロントパネル２の前面に取り付けられるボタン用カバー５から溶着用ボス１６が延設されている。更に、この溶着用ボス１６は、フロントパネル２を貫通していて、フロントパネル２の裏側でその後端部が溶着され、この溶着用ボス１６の溶着によってボタン用カバー５がフロントパネル２に取り付けられている。
したがって、この第２実施形態によれば、溶着用ボス１６の存在で押しボタン３と押しボタン４の間が補強されることになり、押しボタン３を押したときに近傍の他の押しボタン４の連動を防止することができる。
【００１９】
図５は第３実施形態の押しボタンの連動防止構造の部分正面図、図６は同構造の側面断面図である。尚、第１実施形態における同一部材、同一箇所には同一符号を付して、その説明を省略する。
この第３実施形態の押しボタンの連動防止構造は、上記した第１実施形態と第２実施形態を組み合わせた構造をしていて、図５、図６に示すように、フロントパネル２の板状部６、７の上辺部と開口溝２ｂ、２ｃを介するフロントパネル２の本体部２ａとの間の横方向略中央箇所に略Ｚ字形の薄肉の細い繋ぎ片９が形成され、開口溝２ｂ、２ｃの間の中央箇所の下側位置に、ボタン用カバー５から溶着用ボス１６が延設されていて、この溶着用ボス１６は、フロントパネル２を貫通していて、フロントパネル２の裏側でその後端部が溶着されている。
【００２０】
したがって、この第３実施形態によれば、略Ｚ字形の薄肉の細い繋ぎ片９で近接する押しボタン３、４の連動が抑制され、更に溶着用ボスの１６の存在でより一層押しボタン３、４の連動が抑制されて押しボタン３、４の連動を防止することができる。
尚、上記した実施形態では、ビデオデッキ１についてだけ説明したが、これに限らず、
ＤＶＤプレーヤー等の他の電気機器に適用できることは勿論である。
【図面の簡単な説明】
【００２１】
【図１】本発明の押しボタンの連動防止構造を有するビデオデッキの部分斜視図である。
【図２】第１実施形態の押しボタンの連動防止構造を示し、（ａ）はその部分正面図、（ｂ）はその側面断面図である。
【図３】第２実施形態の押しボタンの連動防止構造の部分裏面図である。
【図４】同構造の側面断面図である。
【図５】第３実施形態の押しボタンの連動防止構造の部分正面図である。
【図６】同構造の側面断面図である。
【図７】従来のプッシュノブ装置を示し、（ａ）はその平面図、（ｂ）はその断面図、（ｃ）はそのプッシュノブ部の動作を示す断面図である。
【図８】従来の洗濯機等の操作ボタン装置を示し、（ａ）はその一部切り欠きした断面図、（ｂ）はその操作ボタンの側面図、（ｃ）はその操作ボタンの底面図である。
【図９】従来の押ボタン装置を備えるビデオデッキを示す分解斜視図である。
【図１０】同装置の操作ボタンの動作を示し（ａ）はその操作ボタンを押し下げていない場合におけるビデオデッキの正面パネルを示す一部断面図、（ｂ）はその操作ボタンを押し下げている場合におけるビデオデッキの正面パネルを示す一部断面図である。
【符号の説明】
【００２２】
１            ビデオデッキ
２            フロントパネル
２ａ          本体部
２ｂ、２ｃ    開口溝
２ｄ          ヒンジ部
３、４        押しボタン
５            ボタン用カバー
６、７        板状部
８            四辺形の空洞部
９            繋ぎ片
１０          筐体
１１          スイッチ
１２、１３    水平向きの当り片
１４、１５    略三角形の補強板部
１６          溶着用ボス
【図１】
2005108480.tif 000003
【図２】
2005108480.tif 000004
【図３】
2005108480.tif 000005
【図４】
2005108480.tif 000006
【図５】
2005108480.tif 000007
【図６】
2005108480.tif 000008
【図７】
2005108480.tif 000009
【図８】
2005108480.tif 000010
【図９】
2005108480.tif 000011
【図１０】
2005108480.tif 000012